【手続補正書】
【提出日】平成19年6月28日(2007.6.28)
【手続補正１】
【補正対象書類名】明細書
【補正対象項目名】特許請求の範囲
【補正方法】変更
【補正の内容】
【特許請求の範囲】
【請求項１】  所定の通信媒体を介して複数の情報配信サーバ、端末装置と通信可能な印刷装置を制御する印刷制御装置であって、
いずれかの情報配信サーバより印刷対象情報を取得するためのアドレス情報を前記端末装置から受信するアドレス情報受信手段と、
前記アドレス情報受信手段により受信されたアドレス情報に基づいて、いずれかの情報配信サーバから印刷対象情報を取得する取得手段と、
前記情報配信サーバから配信される印刷対象情報の処理に伴う対価を決定する対価決定手段と、
前記取得手段により取得される前記印刷対象情報に基づき印刷処理を行う印刷手段と、
前記対価決定手段により決定された対価に基づき、前記印刷対象情報に対する印刷料金を計算する計算手段と、
前記計算手段により計算された印刷料金を表示装置に表示する表示制御手段と、
前記印刷手段による印刷処理開始前に、前記計算手段により計算された印刷料金を徴収する料金徴収手段と、
を有することを特徴とする印刷制御装置。
【請求項２】  前記対価決定手段は、前記印刷対象情報のアドレス情報から対価を決定することを特徴とする請求項１記載の印刷制御装置。
【請求項３】  前記対価決定手段は、前記取得手段により前記印刷対象情報を取得する際に、該印刷対象情報の提供元が提供する対価情報から対価を決定することを特徴とする請求項１記載の印刷制御装置。
【請求項４】  前記対価決定手段は、前記取得手段により取得される前記印刷対象情報中に含まれる対価情報から対価を決定することを特徴とする請求項１記載の印刷制御装置。
【請求項５】  所定の通信媒体を介して複数の情報配信サーバ，端末装置と通信可能な印刷装置を制御する印刷制御装置であって、
いずれかの情報配信サーバより印刷対象情報を取得するためのアドレス情報を前記端末装置から受信するアドレス情報受信手段と、
前記アドレス情報受信手段により受信されたアドレス情報に基づいて、いずれかの情報配信サーバから印刷対象情報を取得する取得手段と、
前記情報配信サーバから配信される印刷対象情報の処理に伴う対価を決定する対価決定手段と、
前記取得手段により取得される前記印刷対象情報に基づき印刷処理を行う印刷手段と、
前記対価決定手段により決定された対価に基づき、前記印刷対象情報に対する印刷料金を計算する第１の計算手段と、
前記第１の計算手段により計算された印刷料金を表示装置に表示する第１の表示制御手段と、
前記印刷手段による印刷処理開始前に、前記計算手段により計算された印刷料金を徴収する料金徴収手段と、
前記取得手段により取得される前記印刷対象情報に基づき表示すべき印刷イメージを作成する作成手段と、
前記作成手段により作成された印刷イメージを前記表示装置に表示する第２の表示制御手段と、
を有することを特徴とする印刷制御装置。
【請求項６】  所定の通信媒体を介して複数の情報配信サーバ，端末装置と通信可能な印刷装置を制御する印刷制御装置であって、
いずれかの情報配信サーバより印刷対象情報を取得するためのアドレス情報を前記端末装置から受信するアドレス情報受信手段と、
前記アドレス情報受信手段により受信されたアドレス情報に基づいて、いずれかの情報配信サーバから印刷対象情報を取得する取得手段と、
前記情報配信サーバから配信される印刷対象情報の処理に伴う対価を決定する第１の対価決定手段と、
前記取得手段により取得される前記印刷対象情報に基づき印刷処理を行う印刷手段と、
前記第１の対価決定手段により決定された対価に基づき、前記印刷対象情報に対する印刷料金を計算する第１の計算手段と、
前記第１の計算手段により計算された印刷料金を表示装置に表示する第１の表示制御手段と、
前記印刷手段による印刷処理開始前に、前記第１の計算手段により計算された印刷料金を徴収する第１の料金徴収手段と、
前記取得手段により取得される前記印刷対象情報に基づき表示すべき印刷イメージを作成する作成手段と、
前記作成手段により作成された印刷イメージを前記表示装置に表示する第２の表示制御手段と、
前記情報配信サーバから配信される印刷対象情報の表示処理に伴う対価を決定する第２の決定手段と、
前記第２の対価決定手段により決定された対価に基づき、前記印刷イメージの表示に対する表示料金を計算する第２の計算手段と、
前記第２の計算手段により計算された表示料金を前記表示装置に表示する第３の表示制御手段と、
前記第２の計算手段により計算された表示料金を徴収する第２の料金徴収手段と、
を有することを特徴とする印刷制御装置。
【請求項７】  所定の通信媒体を介して複数の情報配信サーバ，端末装置と通信可能な印刷装置を制御する印刷制御装置における印刷制御方法であって、
いずれかの情報配信サーバより印刷対象情報を取得するためのアドレス情報を前記端末装置から受信するアドレス情報受信工程と、
前記アドレス情報受信工程により受信されたアドレス情報に基づいて、いずれかの情報配信サーバから印刷対象情報を取得する取得工程と、
前記情報配信サーバから配信される印刷対象情報の処理に伴う対価を決定する対価決定工程と、
前記取得工程により取得される前記印刷対象情報に基づき印刷処理を行う印刷工程と、
前記対価決定工程により決定された対価に基づき、前記印刷対象情報に対する印刷料金を計算する計算工程と、
前記計算工程により計算された印刷料金を表示装置に表示する表示制御工程と、
前記印刷工程による印刷処理開始前に、前記計算工程により計算された印刷料金を徴収する料金徴収工程と、
を有することを特徴とする印刷制御方法。
【請求項８】  所定の通信媒体を介して複数の情報配信サーバ，端末装置と通信可能な印刷装置を制御する印刷制御装置における印刷制御方法であって、
いずれかの情報配信サーバより印刷対象情報を取得するためのアドレス情報を前記端末装置から受信するアドレス情報受信工程と、
前記アドレス情報受信工程により受信されたアドレス情報に基づいて、いずれかの情報配信サーバから印刷対象情報を取得する取得工程と、
前記情報配信サーバから配信される印刷対象情報の処理に伴う対価を決定する対価決定工程と、
前記取得工程により取得される前記印刷対象情報に基づき印刷処理を行う印刷工程と、
前記対価決定工程により決定された対価に基づき、前記印刷対象情報に対する印刷料金を計算する第１の計算工程と、
前記第１の計算工程により計算された印刷料金を表示装置に表示する第１の表示制御工程と、
前記印刷工程による印刷処理開始前に、前記第１の計算工程により計算された印刷料金を徴収する料金徴収工程と、
前記取得工程により取得される前記印刷対象情報に基づき表示すべき印刷イメージを作成する作成工程と、
前記作成工程により作成された印刷イメージを前記表示装置に表示する第２の表示制御工程と、
を有することを特徴とする印刷制御方法。
【請求項９】  所定の通信媒体を介して複数の情報配信サーバ，端末装置と通信可能な印刷装置を制御する印刷制御装置における印刷制御方法であって、
いずれかの情報配信サーバより印刷対象情報を取得するためのアドレス情報を前記端末装置から受信するアドレス情報受信工程と、
前記アドレス情報受信工程により受信されたアドレス情報に基づいて、いずれかの情報配信サーバから印刷対象情報を取得する取得工程と、
前記情報配信サーバから配信される印刷対象情報の処理に伴う対価を決定する第１の対価決定工程と、
前記取得工程により取得される前記印刷対象情報に基づき印刷処理を行う印刷工程と、
前記第１の対価決定工程により決定された対価に基づき、前記印刷対象情報に対する印刷料金を計算する第１の計算工程と、
前記第１の計算工程により計算された印刷料金を表示装置に表示する第１の表示制御工程と、
前記印刷工程による印刷処理開始前に、前記第１の計算工程により計算された印刷料金を徴収する第１の料金徴収工程と、
前記取得工程により取得される前記印刷対象情報に基づき表示すべき印刷イメージを作成する作成工程と、
前記作成工程により作成された印刷イメージを前記表示装置に表示する第２の表示制御工程と、
前記情報配信サーバから配信される印刷対象情報の表示処理に伴う対価を決定する第２の対価決定工程と、
前記第２の対価決定工程により決定された対価に基づき、前記印刷イメージの表示に対する表示料金を計算する第２の計算工程と、
前記第２の計算工程により計算された表示料金を前記表示装置に表示する第３の表示制御工程と、
前記第２の計算工程により計算された表示料金を徴収する第２の料金徴収工程と、
を有することを特徴とする印刷制御方法。
【請求項１０】  所定の通信媒体を介して複数の情報配信サーバ，端末装置と通信可能な印刷装置を制御する印刷制御装置に、
いずれかの情報配信サーバより印刷対象情報を取得するためのアドレス情報を前記端末装置から受信するアドレス情報受信工程と、
前記アドレス情報受信工程により受信されたアドレス情報に基づいて、いずれかの情報配信サーバ装置から印刷対象情報を取得する取得工程と、
前記情報配信サーバ装置から配信される印刷対象情報の処理に伴う対価を決定する対価決定工程と、
前記取得工程により取得される前記印刷対象情報に基づき印刷処理を行う印刷工程と、
前記対価決定工程により決定された対価に基づき、前記印刷対象情報に対する印刷料金を計算する計算工程と、
前記計算工程により計算された印刷料金を表示装置に表示する表示制御工程と、
前記印刷工程による印刷処理開始前に、前記計算工程により計算された印刷料金を徴収する料金徴収工程とを実行させるためのプログラムを記憶したコンピュータが読み取り可能な記憶媒体。
【請求項１１】  所定の通信媒体を介して複数の情報配信サーバ，端末装置と通信可能な印刷装置を制御する印刷制御装置に、
いずれかの情報配信サーバより印刷対象情報を取得するためのアドレス情報を前記端末装置から受信するアドレス情報受信工程と、
前記アドレス情報受信工程により受信されたアドレス情報に基づいて、いずれかの情報配信サーバから印刷対象情報を取得する取得工程と、
前記情報配信サーバから配信される印刷対象情報の処理に伴う対価を決定する対価決定工程と、
前記取得工程により取得される前記印刷対象情報に基づき印刷処理を行う印刷工程と、
前記対価決定工程により決定された対価に基づき、前記印刷対象情報に対する印刷料金を計算する第１の計算工程と、
前記第１の計算工程により計算された印刷料金を表示装置に表示する第１の表示制御工程と、
前記印刷工程による印刷処理開始前に、前記計算工程により計算された印刷料金を徴収する料金徴収工程と、
前記取得工程により取得される前記印刷対象情報に基づき表示すべき印刷イメージを作成する作成工程と、
前記作成工程により作成された印刷イメージを前記表示装置に表示する第２の表示制御工程とを実行させるためのプログラムを記録したコンピュータが読み取り可能な記憶媒体。
【請求項１２】  所定の通信媒体を介して複数の情報配信サーバ，端末装置と通信可能な印刷装置を制御する印刷制御装置に、
いずれかの情報配信サーバより印刷対象情報を取得するためのアドレス情報を前記端末装置から受信するアドレス情報受信工程と、
前記アドレス情報受信工程により受信されたアドレス情報に基づいて、いずれかの情報配信サーバから印刷対象情報を取得する取得工程と、
前記情報配信サーバから配信される印刷対象情報の処理に伴う対価を決定する第１の対価決定工程と、
前記取得工程により取得される前記印刷対象情報に基づき印刷処理を行う印刷工程と、
前記第１の対価決定工程により決定された対価に基づき、前記印刷対象情報に対する印刷料金を計算する第１の計算工程と、
前記第１の計算工程により計算された印刷料金を表示装置に表示する第１の表示制御工程と、
前記印刷工程による印刷処理開始前に、前記第１の計算工程により計算された印刷料金を徴収する第１の料金徴収工程と、
前記取得工程により取得される前記印刷対象情報に基づき表示すべき印刷イメージを作成する作成工程と、
前記作成工程により作成された印刷イメージを前記表示装置に表示する第２の表示制御工程と、
前記情報配信サーバから配信される印刷対象情報の表示処理に伴う対価を決定する第２の対価決定工程と、
前記第２の対価決定工程により決定された対価に基づき、前記印刷イメージの表示に対する表示料金を計算する第２の計算工程と、
前記第２の計算工程により計算された表示料金を前記表示装置に表示する第３の表示制御工程と、
前記第２の計算工程により計算された表示料金を徴収する第２の料金徴収工程と、
を実行させるためのプログラムを記憶したコンピュータが読み取り可能な記憶媒体。
【請求項１３】  選択されたアドレスを印刷する際の料金の問い合わせをサーバに対して行う手段と、
サーバより受信した選択されたアドレスを印刷する際の料金を表示する手段と、
選択されたアドレスの印刷依頼をサーバに対して行う手段と、
を有することを特徴とする携帯端末。
【請求項１４】  選択されたアドレスを印刷する際の印刷装置を選択する手段を有することを特徴とする請求項１３記載の携帯端末。
【請求項１５】  前記選択されたアドレスを印刷する際の料金は、前記選択されたアドレスを表示するための料金と前記選択されたアドレスを印刷するための料金とを含むことを特徴とする請求項１３記載の携帯端末。
【請求項１６】  前記表示する手段は、前記選択されたアドレスのページを表示することなく、前記選択されたアドレスを表示することを特徴とする請求項１３記載の携帯端末。
【請求項１７】  前記表示する手段は、前記選択されたアドレスを印刷可能であるか否かを識別可能に表示することを特徴とする請求項１３記載の携帯端末。
【請求項１８】  選択されたアドレスを印刷する際の料金の問い合わせを端末より受信する手段と、
選択されたアドレスを印刷する際の料金を決定する手段と、
決定された選択されたアドレスを印刷する際の料金を端末に通知する手段と、
を有することを特徴とするサーバ。
【請求項１９】  前記選択されたアドレスを印刷する際の料金は、前記選択されたアドレスを表示するための料金と前記選択されたアドレスを印刷するための料金とを含むことを特徴とする請求項１８記載のサーバ。
【請求項２０】  選択されたアドレスを印刷する際の料金の問い合わせをサーバに対して行う工程と、
サーバより受信した選択されたアドレスを印刷する際に料金を表示する工程と、
選択されたアドレスの印刷依頼をサーバに対して行う工程と、
を有することを特徴とする携帯端末のデータ処理方法。
【請求項２１】  選択されたアドレスを印刷する際の料金の問い合わせを端末より受信する工程と、
選択されたアドレスを印刷する際の料金を決定する工程と、
決定された選択されたアドレスを印刷する際の料金を端末に通知する工程と、
を有することを特徴とするサーバのデータ処理方法。
【請求項２２】  携帯端末に、
選択されたアドレスを印刷する際の料金の問い合わせをサーバに対して行う工程と、
サーバより受信した選択されたアドレスを印刷する際の料金を表示する工程と、
選択されたアドレスの印刷依頼をサーバに対して行う工程とを実行させるためのプログラムを記録したコンピュータが読み取り可能な記憶媒体。
【請求項２３】  サーバに、
選択されたアドレスを印刷する際の料金の問い合わせを端末より受信する工程と、
選択されたアドレスを印刷する際の料金を決定する工程と、
決定された選択されたアドレスを印刷する際の料金を端末に通知する工程とを実行させるためのプログラムを記録したコンピュータが読み取り可能な記憶媒体。
【手続補正２】
【補正対象書類名】明細書
【補正対象項目名】０００７
【補正方法】変更
【補正の内容】
【０００７】
本発明は、前記の課題を解決するためになされたもので、本発明の第１の目的は、端末装置からの情報取得要求に従いいずれかの情報配信サーバにアクセスしてダウンロードされる印刷対象情報に対して印刷サービス提供者が印刷要求者に算定されたサービス提供料をユーザに明示して正当な料金を徴収することができる仕組みを提供することである。
【手続補正３】
【補正対象書類名】明細書
【補正対象項目名】０００８
【補正方法】変更
【補正の内容】
【０００８】
本発明の第２の目的は、前記の課題を解決するためになされたもので、本発明の目的は、ダウンロードした印刷対象情報の印刷イメージを印刷開始前に確認させて、端末装置からの情報取得要求に従いいずれかの情報配信サーバにアクセスしてダウンロードされる印刷対象情報に対して印刷サービス提供者が印刷要求者に算定された印刷処理に伴うサービス提供料をユーザに明示して正当な料金を徴収することができる仕組みを提供することである。
【手続補正４】
【補正対象書類名】明細書
【補正対象項目名】０００９
【補正方法】変更
【補正の内容】
【０００９】
本発明の第３の目的は、前記の課題を解決するためになされたもので、本発明の目的は、ダウンロードした印刷対象情報の印刷イメージを印刷開始前に表示により視覚的に確認させて、端末装置からの情報取得要求に従いいずれかの情報配信サーバにアクセスしてダウンロードされる印刷対象情報に対して印刷サービス提供者が印刷要求者に算定された印刷処理とイメージ表示処理に伴うサービス提供料をユーザに明示して正当な料金を徴収することができる仕組みを提供することである。
【手続補正５】
【補正対象書類名】明細書
【補正対象項目名】００１０
【補正方法】変更
【補正の内容】
【００１０】
【課題を解決するための手段】
本発明に係る印刷制御装置は、以下の特徴的構成を備える。
所定の通信媒体を介して複数の情報配信サーバ、端末装置と通信可能な印刷装置を制御する印刷制御装置であって、いずれかの情報配信サーバより印刷対象情報を取得するためのアドレス情報を前記端末装置から受信するアドレス情報受信手段と、前記アドレス情報受信手段により受信されたアドレス情報に基づいて、いずれかの情報配信サーバから印刷対象情報を取得する取得手段と、前記情報配信サーバから配信される印刷対象情報の処理に伴う対価を決定する対価決定手段と、前記取得手段により取得される前記印刷対象情報に基づき印刷処理を行う印刷手段と、前記対価決定手段により決定された対価に基づき、前記印刷対象情報に対する印刷料金を計算する計算手段と、前記計算手段により計算された印刷料金を表示装置に表示する表示制御手段と、前記印刷手段による印刷処理開始前に、前記計算手段により計算された印刷料金を徴収する料金徴収手段とを有することを特徴とする。
また、所定の通信媒体を介して複数の情報配信サーバ，端末装置と通信可能な印刷装置を制御する印刷制御装置であって、いずれかの情報配信サーバより印刷対象情報を取得するためのアドレス情報を前記端末装置から受信するアドレス情報受信手段と、前記アドレス情報受信手段により受信されたアドレス情報に基づいて、いずれかの情報配信サーバから印刷対象情報を取得する取得手段と、前記情報配信サーバから配信される印刷対象情報の処理に伴う対価を決定する対価決定手段と、前記取得手段により取得される前記印刷対象情報に基づき印刷処理を行う印刷手段と、前記対価決定手段により決定された対価に基づき、前記印刷対象情報に対する印刷料金を計算する第１の計算手段と、前記第１の計算手段により計算された印刷料金を表示装置に表示する第１の表示制御手段と、前記印刷手段による印刷処理開始前に、前記計算手段により計算された印刷料金を徴収する料金徴収手段と、前記取得手段により取得される前記印刷対象情報に基づき表示すべき印刷イメージを作成する作成手段と、前記作成手段により作成された印刷イメージを前記表示装置に表示する第２の表示制御手段とを有することを特徴とする。
さらに、所定の通信媒体を介して複数の情報配信サーバ，端末装置と通信可能な印刷装置を制御する印刷制御装置であって、いずれかの情報配信サーバより印刷対象情報を取得するためのアドレス情報を前記端末装置から受信するアドレス情報受信手段と、前記アドレス情報受信手段により受信されたアドレス情報に基づいて、いずれかの情報配信サーバから印刷対象情報を取得する取得手段と、前記情報配信サーバから配信される印刷対象情報の処理に伴う対価を決定する第１の対価決定手段と、前記取得手段により取得される前記印刷対象情報に基づき印刷処理を行う印刷手段と、前記第１の対価決定手段により決定された対価に基づき、前記印刷対象情報に対する印刷料金を計算する第１の計算手段と、前記第１の計算手段により計算された印刷料金を表示装置に表示する第１の表示制御手段と、前記印刷手段による印刷処理開始前に、前記第１の計算手段により計算された印刷料金を徴収する第１の料金徴収手段と、前記取得手段により取得される前記印刷対象情報に基づき表示すべき印刷イメージを作成する作成手段と、前記作成手段により作成された印刷イメージを前記表示装置に表示する第２の表示制御手段と、前記情報配信サーバから配信される印刷対象情報の表示処理に伴う対価を決定する第２の決定手段と、前記第２の対価決定手段により決定された対価に基づき、前記イメージの表示に対する表示料金を計算する第２の計算手段と、前記第２の計算手段により計算された表示料金を前記表示装置に表示する第３の表示制御手段と、前記第２の計算手段により計算された表示料金を徴収する第２の料金徴収手段とを有することを特徴とする。
【手続補正６】
【補正対象書類名】明細書
【補正対象項目名】００１１
【補正方法】変更
【補正の内容】
【００１１】
本発明に係る携帯端末は、以下の特徴的構成を備える。
選択されたアドレスを印刷する際の料金の問い合わせをサーバに対して行う手段と、サーバより受信した選択されたアドレスを印刷する際の料金を表示する手段と、選択されたアドレスの印刷依頼をサーバに対して行う手段とを有することを特徴とする。
【手続補正７】
【補正対象書類名】明細書
【補正対象項目名】００１２
【補正方法】変更
【補正の内容】
【００１２】
本発明に係るサーバは、以下の特徴的構成を備える。
選択されたアドレスを印刷する際の料金の問い合わせを端末より受信する手段と、選択されたアドレスを印刷する際の料金を決定する手段と、決定された選択されたアドレスを印刷する際の料金を端末に通知する手段とを有することを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００５０
【補正方法】削除
【補正の内容】
【手続補正４６】
【補正対象書類名】明細書
【補正対象項目名】００５１
【補正方法】削除
【補正の内容】
【手続補正４７】
【補正対象書類名】明細書
【補正対象項目名】００５２
【補正方法】削除
【補正の内容】
【手続補正４８】
【補正対象書類名】明細書
【補正対象項目名】００５３
【補正方法】削除
【補正の内容】
【手続補正４９】
【補正対象書類名】明細書
【補正対象項目名】００５４
【補正方法】削除
【補正の内容】
【手続補正５０】
【補正対象書類名】明細書
【補正対象項目名】００５５
【補正方法】削除
【補正の内容】
【手続補正５１】
【補正対象書類名】明細書
【補正対象項目名】００５６
【補正方法】削除
【補正の内容】
【手続補正５２】
【補正対象書類名】明細書
【補正対象項目名】００５７
【補正方法】削除
【補正の内容】
【手続補正５３】
【補正対象書類名】明細書
【補正対象項目名】００５８
【補正方法】削除
【補正の内容】
【手続補正５４】
【補正対象書類名】明細書
【補正対象項目名】００５９
【補正方法】削除
【補正の内容】
【手続補正５５】
【補正対象書類名】明細書
【補正対象項目名】００６０
【補正方法】削除
【補正の内容】
【手続補正５６】
【補正対象書類名】明細書
【補正対象項目名】００６１
【補正方法】削除
【補正の内容】
【手続補正５７】
【補正対象書類名】明細書
【補正対象項目名】００６２
【補正方法】削除
【補正の内容】
【手続補正５８】
【補正対象書類名】明細書
【補正対象項目名】００６３
【補正方法】削除
【補正の内容】
【手続補正５９】
【補正対象書類名】明細書
【補正対象項目名】００６４
【補正方法】削除
【補正の内容】
【手続補正６０】
【補正対象書類名】明細書
【補正対象項目名】００６５
【補正方法】削除
【補正の内容】
【手続補正６１】
【補正対象書類名】明細書
【補正対象項目名】００６６
【補正方法】削除
【補正の内容】
【手続補正６２】
【補正対象書類名】明細書
【補正対象項目名】００６７
【補正方法】削除
【補正の内容】
【手続補正６３】
【補正対象書類名】明細書
【補正対象項目名】００６８
【補正方法】削除
【補正の内容】
【手続補正６４】
【補正対象書類名】明細書
【補正対象項目名】００６９
【補正方法】削除
【補正の内容】
【手続補正６５】
【補正対象書類名】明細書
【補正対象項目名】００７０
【補正方法】削除
【補正の内容】
【手続補正６６】
【補正対象書類名】明細書
【補正対象項目名】００７１
【補正方法】削除
【補正の内容】
【手続補正６７】
【補正対象書類名】明細書
【補正対象項目名】００７２
【補正方法】削除
【補正の内容】
【手続補正６８】
【補正対象書類名】明細書
【補正対象項目名】００７３
【補正方法】削除
【補正の内容】
【手続補正６９】
【補正対象書類名】明細書
【補正対象項目名】００７４
【補正方法】削除
【補正の内容】
【手続補正７０】
【補正対象書類名】明細書
【補正対象項目名】００７５
【補正方法】削除
【補正の内容】
【手続補正７１】
【補正対象書類名】明細書
【補正対象項目名】００７６
【補正方法】削除
【補正の内容】
【手続補正７２】
【補正対象書類名】明細書
【補正対象項目名】００７７
【補正方法】削除
【補正の内容】
【手続補正７３】
【補正対象書類名】明細書
【補正対象項目名】００７８
【補正方法】削除
【補正の内容】
【手続補正７４】
【補正対象書類名】明細書
【補正対象項目名】０３６５
【補正方法】変更
【補正の内容】
【０３６５】
【発明の効果】
以上説明したように、本発明によれば、端末装置からの情報取得要求に従いいずれかの情報配信サーバにアクセスしてダウンロードされる印刷対象情報に対して印刷サービス提供者が印刷要求者に算定されたサービス提供料をユーザに明示して正当な料金を徴収することができる。
【手続補正７５】
【補正対象書類名】明細書
【補正対象項目名】０３６６
【補正方法】変更
【補正の内容】
【０３６６】
また、ダウンロードした印刷対象情報の印刷イメージを印刷開始前に確認させて、端末装置からの情報取得要求に従いいずれかの情報配信サーバにアクセスしてダウンロードされる印刷対象情報に対して印刷サービス提供者が印刷要求者に算定された印刷処理に伴うサービス提供料をユーザに明示して正当な料金を徴収することができる。
【手続補正７６】
【補正対象書類名】明細書
【補正対象項目名】０３６７
【補正方法】変更
【補正の内容】
【０３６７】
さらに、ダウンロードした印刷対象情報の印刷イメージを印刷開始前に表示により視覚的に確認させて、端末装置からの情報取得要求に従いいずれかの情報配信サーバにアクセスしてダウンロードされる印刷対象情報に対して印刷サービス提供者が印刷要求者に算定された印刷処理とイメージ表示処理に伴うサービス提供料をユーザに明示して正当な料金を徴収することができる。